(57)【要約】【課題】ギャッジアップ機能付きベッドにおいて、被介護者の上半身を起こし再度仰臥させた際に、被介護者の体を起こす前の仰臥位置に戻すことが容易な介護用動作支援装置を提供すること。【解決手段】被介護者の上半身を起立させるためのギャッジアップ機能のついたベッドの足元側フェンスに隣接させて敷き布団等の上に配置させる介護用動作支援装置１であって、足元側フェンスに当接させるベース板２と、ベース板２に対して接離可能に支持され設置状態で被介護者の足の裏方向を向く当接面３ａを備えた押し板３と、押し板３のベース板２方向への移動を阻止する移動阻止手段とを備えるようにした。移動阻止手段は第１及び第２の脚４、５、チェーン１７やピン１８等で構成される。【選択図】図１
0003204997.tif 000002
【実用新案登録請求の範囲】
【請求項１】
被介護者の上半身を起立させるためのギャッジアップ機能のついたベッドの足元側フェンス部材に隣接させてマットレス上又は同マットレス上に敷かれた敷き材上に配置させる介護用動作支援装置であって、
前記足元側フェンス部材側に直接的又は間接的に当接させるベース部と、同ベース部に対して接離可能に支持され設置状態で被介護者の足の裏方向を向く当接面を備えた移動体と、同移動体の前記ベース部方向への移動を阻止する移動阻止手段とを備えたことを特徴とする介護用動作支援装置。
【請求項２】
前記移動阻止手段は前記移動体の前記ベース部からの離間方向への移動は阻止せず、前記移動体の前記ベース部への接近方向の移動を阻止することを特徴とする請求項１に記載の介護用動作支援装置。
【請求項３】
前記移動阻止手段は前記ベース部と前記移動体との間に回り対偶の関係で連結された第１のリンク体と、同第１のリンク体と回り対偶の関係で連結され両端がそれぞれ前記ベース部と前記移動体に当接する第２のリンク体と、前記第１のリンク体と前記第２のリンク体の相対回動を阻止する回動阻止手段とから構成されていることを特徴とする請求項１又は２に記載の介護用動作支援装置。
【請求項４】
前記回動阻止手段は前記第１のリンク体と前記第２のリンク体の間に所定の長さで連結される長尺部材であることを特徴とする請求項３に記載の介護用動作支援装置。
【請求項５】
前記長尺部材はリング体を直列に連結したチェーン部材であることを特徴とする請求項４に記載の介護用動作支援装置。
【請求項６】
前記当接面は設置状態において前記ベッドの幅方向に横長となるように形成されていることを特徴とする請求項１〜５のいずれかに記載の介護用動作支援装置。
【請求項７】
前記当接面は設置状態において被介護者側に向かって凹状に湾曲した面で構成されていることを特徴とする請求項１〜６のいずれかに記載の介護用動作支援装置。
【請求項８】
前記ベース部は設置状態において前記ベッドの幅方向に横長となる部分を備えていることを特徴とする１〜７のいずれかに記載の介護用動作支援装置。
【請求項９】
前記ベース部又は前記移動体の少なくとも一方には設置状態において下面側となる位置に前記マットレス又は前記敷き材上に平面で接する接地部が形成されていることを特徴とする１〜８のいずれかに記載の介護用動作支援装置。
【考案の詳細な説明】
【技術分野】
【０００１】
本考案は、使用者である被介護者の上体が寄りかかることができるように被介護者が寝ているマットレス体を起き上がらせることのできるギャッジアップ機能付きベッドに使用するための介護用動作支援装置に関するものである。
【背景技術】
【０００２】
従来から病人や老人のように体力が低下した被介護者がベッド上で上体を起こして例えば食事を取ったりする際の利便を考えて、仰臥した状態からその人の上体を起こすのを支援するためにギャッジアップ機能のついた介護用ベッドが用いられている。ギャッジアップ機能とは看護用語で、看護される人の姿勢を変えるための支援をする機能であって、マットレス体を部分的に押し上げることで被介護者の上半身を持ち上げたり、逆に寝た状態に戻したりするような機能をいう。ギャッジアップ機能のついた介護用ベッドの一例として特許文献１を挙げる。
【先行技術文献】
【特許文献】
【０００３】
【特許文献１】特許第５１３８０８１号公報
【考案の概要】
【考案が解決しようとする課題】
【０００４】
しかし、従来からこのようなギャッジアップ機能付きベッドの、特に上体を起こす動作を支援する際には次のような課題が生じていた。
今、ギャッジアップ機能付きベッドにおいて、図８（ａ）に示すような被介護者がベッドの上に水平に寝かされた状態から、ギャッジアップ機能によって図８（ｂ）に示すような上半身が起こされる場合を考える。被介護者はマットレス１００の起立に伴って敷き布団１０１とともにマットレス１００に背中を支えられながら上半身が起こされる訳であるが、このときのマットレス１００の起立動作に伴って被介護者は足元方向にも押される力がかかることとなるため、上半身が持ち上げられると同時に敷き布団１０１上をスライド移動して若干足元側にずり下がってしまうこととなる。そのため、被介護者が図８（ｃ）に示すような水平に寝かされた状態に再び戻された際に、本来の位置よりも足元方向にずれた位置で仰臥することになってしまうという不具合が生じていた。このように仰臥位置が本来の位置からずれてしまった場合には、一般には介護する人が被介護者の背中に手を入れて枕側に体をずり上げるようにしなければならないが、介護する人にとってそのような動作をすることは介護作業的に容易ではなく、またずり上げ動作に伴って例えば被介護者の着衣や掛け布団等の位置も乱れてしまうこととなる。
そのため、ギャッジアップ機能付きベッドにおいて、被介護者の上半身を起こし、再度仰臥させた際に、被介護者の体を起こす前の仰臥位置に戻すことが容易となる手段が求められていた。
【課題を解決するための手段】
【０００５】
上記の目的を達成するための第１の手段として、被介護者の上半身を起立させるためのギャッジアップ機能のついたベッドの足元側フェンス部材に隣接させてマットレス上又は同マットレス上に敷かれた敷き材上に配置させる介護用動作支援装置であって、前記足元側フェンス部材側に直接的又は間接的に当接させるベース部と、同ベース部に対して接離可能に支持され設置状態で被介護者の足の裏方向を向く当接面を備えた移動体と、同移動体の前記ベース部方向への移動を阻止する移動阻止手段とを備えるようにした。
このような構成では、被介護者の足の裏にごく近い位置に当接面が配置されるように移動体を調整して被介護者の足元に介護用動作支援装置を配置することができ、ギャッジアップ機能によって被介護者の上半身を起立させた後に再び被介護者を仰臥させる際に、被介護者の体が下方にずれ下がりそうになったりあるいは実際にずれ下がったとしても、被介護者の足が介護用動作支援装置の移動体の当接面に当接できるため、被介護者自らが足で当接面を押すことで体が足元側フェンス部材方向にずれ下がるのを支えることができ、被介護者の体のずれ下がりが防止できることとなる。
【０００６】
ここに「敷き材」とは敷き布団や毛布やシーツであり通常はマットレス上にこれらの敷き材が配置されているため、本考案の介護用動作支援装置もマットレス上か敷き材の上のいずれかに配置されるものである。
「足元側フェンス部材」とはギャッジアップ機能付きベッドの足元側に起立させる部材であり、例えば柵状に構成さしたり板状に構成したりあるいはクッション性のある柔らかい椅子の背もたれのように構成することがよい。
「足元側フェンス部材側に直接的又は間接的に当接させるベース部」とはベース部を直接的に足元側フェンス部材側当接させたりしても、直接当接させにくい場合や足元側フェンス部材が損傷しやすい場合には連結部材やクッション材等を間に介在させるようにしてもよいということである。
「ベース部」は足元側フェンス部材側に固定する際に安定性がよいように横長で面で足元側フェンス部材に当接することがよい。また、「移動体」は一般に掛け布団や掛け毛布の下側になるためそれらの使用の支障のないように上背のない横長形状とすることがよい。
【０００７】
また、第２の手段として、前記移動阻止手段は前記移動体の前記ベース部からの離間方向への移動は阻止せず、前記移動体の前記ベース部への接近方向の移動を阻止するようにした。
このように構成することによって、ベース部に対して移動体をベース部からの離間方向へ移動を阻止するための保持機構を設ける必要がなくなるため、介護用動作支援装置全体として機構が簡単になって低コスト化を図ることができる。また、このように構成してもユーザーである被介護者は、基本的に当接面を足で押して移動体をベース部方向に押すだけであるため、特に移動体をベース部から離間方向へ移動させることを阻止しないことによって不都合になることはない。
【０００８】
また、第３の手段として、前記移動阻止手段は前記ベース部と前記移動体との間に回り対偶の関係で連結された第１のリンク体と、同第１のリンク体と回り対偶の関係で連結され両端がそれぞれ前記ベース部と前記移動体に当接する第２のリンク体と、前記第１のリンク体と前記第２のリンク体の相対回動を阻止する回動阻止手段とから構成されるようにした。
このように回動阻止手段によって第１のリンク体と前記第２のリンク体の相対回動を阻止することで第１のリンク体の両端位置に連結されたベース部と移動体も動くことができなくなる（移動阻止）。ベース部は足元側フェンス部材側に当接されるためベース部を基準として移動体の位置も定まることとなる。そして、第２のリンク体は第１のリンク体に回り対偶の関係で連結されているため、第２のリンク体の両端ををベース部と移動体に当接させることで第１のリンク体と協働してベース部と移動体を保持することができる。これは移動阻止手段の具体例であり、少ない構成部材と簡単な構造で低コストで移動阻止手段を実現することができる。
第１のリンク体と第２のリンク体及びこれらとベース部と移動体との対偶関係について図７に基づいて詳細に説明する。図７は回動阻止手段の一例を模式的に表現したものであり、この構成に実際の回動阻止手段が限定されるものではない。
図７（ａ）に示すように、ベース部５０と第１のリンク体５１とは回転部５２で連結された回り対偶である。第１のリンク体５１と移動体５３も回転部５４で連結された回り対偶である。ベース部５０と移動体５３もリンク体である。本考案ではベース部５０は拘束されることとなる。このようなリンク構成であれば移動体５３はベース部５０に対して相対的に接近したり離間したりすることができる。第２のリンク体５５は第１のリンク体５１と回転部５６で連結された回り対偶である。第１のリンク体５１と第２のリンク体５５はＸ状に交差させられ交差角度は任意に変更可能である。図７（ｂ）に示すように、第２のリンク体５５をベース部５０と移動体５３の間に両端を当接させた状態で任意の間隔で配置することができる。そして、図７（ｃ）に示すように、第１のリンク体５１と第２のリンク体５５の間を回動阻止手段としての拘束体５７で拘束することで第１のリンク体と第２のリンク体５５の相対回動は阻止される。ここでは理解の容易から拘束体５７は棒状に示したが、要は１のリンク体５１と第２のリンク体５５の交差角度が固定できればどのような手段でもよい。
【０００９】
また、第４の手段として、前記回動阻止手段は前記第１のリンク体と前記第２のリンク体の間に所定の長さで連結される長尺部材であるようにした。
例えば、第１のリンク体と第２のリンク体の間に所定の長さの棒状部材を連結すれば第１のリンク体と第２のリンク体は動かなくなる。これによって結果としてベース部と移動体も動くことができなくなる（移動阻止状態）。長尺部材は棒のように可撓性のない部材でもだけでなく紐やチェーンのように可撓性のある部材でもよい。可撓性のある部材の場合には第１のリンク体と第２のリンク体が連結位置を基準に互いに接近する方向の動きが阻止（固定）され、離間方向の動きは許容される。また、長尺部材の長さの違いによってベース部と移動体の間隔を任意の位置に設定することができることとなる。
また、第５の手段として、前記長尺部材はリング体を直列に連結したチェーン部材であるようにした。
長尺部材が可撓性のある部材である場合の一例である。このように構成すれば、リング体の位置で長さを容易に調節できるため、第１のリンク体と前記第２のリンク体の相対回動位置を容易に任意の位置に設定することができ、結果としてベース部と移動体の間隔を容易に任意の位置に設定することができる。
【００１０】
また、第６の手段として、前記当接面が設置状態において前記ベッドの幅方向に横長となるように形成されるようにした。
これによって介護用動作支援装置を設置した際の安定性がよく、被介護者の足がベッドの幅方向において真ん中になくとも当接面に当接させることができる。
また、第７の手段として、前記当接面は設置状態において被介護者側に向かって凹状に湾曲した面で構成されているようにした。
このように構成すれば、被介護者の足がベッドの長手方向にまっすぐ伸びていなくとも当接面に接しやすく姿勢の悪い状態でも当接面を押しやすくなる。
また、第８の手段として、前記ベース部は設置状態において前記ベッドの幅方向に横長となる部分を備えているようにした。
これによって介護用動作支援装置を設置した際の安定性がよくなる。
また、第９の手段として、前記ベース部又は前記移動体の少なくとも一方には設置状態において下面側となる位置に前記マットレス又は前記敷き材上に平面で接する接地部が形成されているようにした。
このような接地部を設けることでベース部と移動体はマットレスや敷き材のような柔らかい素材の上に設置されるため安定性がよくなる。
【考案の効果】
【００１１】
本考案によれば、ギャッジアップ機能付きベッドにおいて被介護者の上半身を起こし、再度仰臥させた際に、被介護者の体を起こす前の仰臥位置に戻すことが容易となる。
【図面の簡単な説明】
【００１２】
【図１】実施の形態の介護用動作支援装置においてベース板と移動体のある位置で間隔保持された状態の正面図。
【図２】実施の形態の介護用動作支援装置においてベース板と移動体の図1の状態とは異なるある位置で間隔保持された状態の正面図。
【図３】図２の状態の介護用動作支援装置の背面図。
【図４】図２のＡーＡ線における正面図。
【図５】チェーンのリングが第１の脚のピンに係止されている状態の部分拡大斜視説明図。
【図６】被介護者がベッドの上で仰臥してその足元に介護用動作支援装置が配置されている状態の説明図。
【図７】本考案においてベース板と移動体の間隔を保持した状態で保持させるための機構を説明する模式図。
【図８】（ａ）は被介護者がベッドの上で、（ｂ）は同じくギャッジアップ機構によって起き上がったマットレスに支えられて起こされている状態、（c）は再び仰臥している状態のそれぞれ説明図。
【考案を実施するための形態】
【００１３】
以下、本考案の実施の形態の介護用動作支援装置について図面に基づいて説明する。
図１〜図３に示すように、介護用動作支援装置（以下、単に「支援装置」とする）１は、ベース部としてのベース板２と移動体としての押し板３と、ベース板２と押し板３の間に配置される第１の脚４と第２の脚５から基本的な骨格が構成されている。ベース板２は木製の長方形形状の平板に形成された板体であって、敷布団の上に設置される際に幅方向に配置される方向が長手方向とされる。ベース板２の敷布団の上に設置される際に下側となる側の縁位置には第１の接地板６が形成されている。第１の接地板６はベース板２と直交するように配置されている。第１の接地板６は長方形形状の平板に形成された板体であってベース板２よりも長さ、幅ともに若干小さめに構成されている。ベース板２の外面側及び第１の接地板６の外面側はフェルト様の布材８で包囲されている。第１の接地板６は布材８で覆われた面が接地面６ａとされている。第１の接地板６はベース板２に対して接着剤とＬ字状金具９によって固定されている。
押し板３は木製の長方形形状の板体であって長手方向に湾曲して構成されている。押し板３は凹状に湾曲した面が外面側とされ、敷布団の上に設置された際に被介護者の足の裏が当接する当接面３ａとされている。ベース板２と同様敷布団の上に設置される際に幅方向に配置される方向が長手方向とされる。押し板３の敷布団の上に設置される際に下側となる側の縁位置には第２の接地板７が形成されている。第２の接地板７は押し板３と直交するように配置されている。第２の接地板７は長方形形状の平板に形成された板体であって押し板３よりも長さ、幅ともに若干小さめに構成されている。押し板３の外面側（つまり当接面３ａ側）と第２の接地板７の外面側は上記と同様にフェルト様の布材８で包囲されている。第２の接地板７は布材８で覆われた面が接地面７ａとされている。第２の接地板７は押し板３に対して接着剤とＬ字状金具９によって固定されている。
ベース板２と押し板３は第１の接地板６と第２の接地板７の接地面６ａ、７ａが同じ平面上に存在し、かつ第１の接地板６と第２の接地板７の直線状の端縁６ｂ、７ｂが正対して常に平行に配置されている。押し板３の長手方向両端を結ぶ線分Ｌ（図１に示されている）とベース板２の長手方向の延出方向は常に平行とされる。
【００１４】
押し板３の裏面側（凸に湾曲した側）には木製の揺動ベース１０と木製のスライドテーブル１１が固着されている。スライドテーブル１１のベース板２側を向いたスライド面１１ａは平面に構成されベース板２のスライド面としての裏面２ａと平行な面とされている。揺動ベース１０とベース板２の間には第１の脚４が揺動連結手段としての蝶番１２によって揺動可能に連結されている。つまり、蝶番１２を回動支点として第１の脚４と揺動ベース１０とベース板２との間でリンクが構成されることとなり、第１の脚４は揺動ベース１０とベース板２のそれぞれに対して揺動可能とされている。
第１の脚４に対して第２の脚５が回動可能（揺動可能）に連結されている。第１の脚４は幅広の長方形形状の平板に形成された板体に構成され、長手方向中央に透孔１３が形成されている。第２の脚５は断面長方形形状の桿状体に構成されている。第２の脚５は第１の脚４に形成された透孔１３内に第１の脚４と交差状に配置され、第１の脚４との間で回動軸１５を軸心として連結されている。つまり、回動軸１５を回動支点として第１の脚４と第２の脚５との間でリンクが構成されることとなる。第２の脚５はスライドテーブル１１（のスライド面１１ａ）とベース板２（の裏面２ａ）の間の間にその両端の角部をもって当接可能とされている。
第１の脚４の押し板３側を向いた面の蝶番１２寄り位置にはアンカー１６が形成され回動阻止手段としてのチェーン１７の基部が連結されている。チェーン１７は複数のリング１７ａを連結して構成されている。第２の脚５の側面位置（設置される際に上側となる面）にはピン１８が突出形成されている。第１の脚４、第２の脚５、アンカー１６、チェーン１７、ピン１８等によって移動阻止手段が構成されている。
【００１５】
次にこのように構成される支援装置１の使用方法について説明する。
図６に示すように、ギャッジアップ機能のついたベッド２１の上にはマットレス２２がセットされ、マットレス２２の上には敷き布団２３がセットされている。ベッド２１は長手方向の前後に脚を兼ねたフェンス２４、２５で支持されており、マットレス２２及び敷き布団２３はフェンス２４、２５間に配置されている。そして図示しないギャッジアップ機構によってマットレス２２が起き上がって被介護者の上半身を支持して起き上がらせることができる。支援装置１はこのようなベッド２１上において被介護者が敷き布団２３上に寝た状態で足元側フェンス２５側に配置される。より具体的には、支援装置１は第１の接地板６と第２の接地板７が敷き布団２３に面する向きでベース板２を元側フェンス２５の内側面に当接させる。そして、そして、押し板３は被介護者が膝を曲げずにベッド２１の長手方向に沿った状態で足の裏がわずかに離れる程度になるように調整する。尚、実際には一般に被介護者の上には掛け布団や毛布が被せられるが、図示では省略する。
例えば被介護者が小柄であれば、図１に示すようにベース板２と押し板３の距離（間隔）を離し、その位置でちょうどチェーン１７が張られるようにリング１７ａを選んで図５に示すようにピン１８に係止させる。あるいは、例えば被介護者が大柄であれば図２のようにベース板２と押し板３の距離をより接近させてチェーン１７を張るようにする。このように被介護者の身長にあわせてベース板２と押し板３の距離を調整する。
【００１６】
このような構成の実施の形態の支援装置１では次のような効果が奏される。
（１）ギャッジアップ機構によって仰臥状態の被介護者の上半身を押し上げる際には、その後被介護者を再び仰臥状態とすることで体がベッドの下方に下がってしまうことになっていたが、このようにベッド２１の足元側フェンス２５の内側に支援装置１を配置することで被介護者は上半身を起こされた際に自身の足で踏ん張って下方に下がってしまうことを防止することができるため、被介護者が再び仰臥状態となっても元の仰臥位置を維持することができ、介護する人の手を煩わすことなくなる。
（２）支援装置１のベース板２と押し板３の間隔は被介護者の身長に応じて適宜変更することが可能であるため被介護者の身長に応じていろいろな前後幅の支援装置を用意する必要がない。
（３）ベース板２と押し板３の間隔を変更する際には第２の脚５の上端はスライドテーブル１１の表面１１ａを案内面として速やかに移動することができ、かつスライドテーブル１１の表面１１ａはベース板２の裏面２ａと平行な面とされているため、ベース板２に対して押し板３は傾くことなく配置されることとなる。
（４）チェーン１７のリング１７ａを選んでピン１８に係止させるだけでベース板２と押し板３の間隔が定まってベース板２が押し板３方向に移動できなくなるという簡単な構成であり、かつリング１７ａ位置を変えるだけでほぼ無段階で調整できるため、構造が複雑化せず、軽量化や低コスト化を図りやすい。特に支援装置１は基本的に被介護者が押し板３をベース板２方向に押すだけという構成であるため一方向にだけ動かなければよい。そのため、このような回動阻止手段（固定手段）を採用することができるものである。
（５）接地板６と第２の接地板７があるため、支援装置１が敷き布団２３上で安定しやすい。
【００１７】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・上記実施の形態の支援装置１の形状は一例であって、具体的な構成は様々に変更できる。例えば、上記では押し板３を湾曲させたが、この湾曲具合は適宜変更でき、また湾曲させないという構成でもよい。
また、材質も木製以外のプラスチック素材を使用するようにしてもよい。また第１の脚４に第２の脚５を通すようにしていたがこれは逆でもよく、また、通さないように構成してもよい。また、回動軸１５の構成も上記に限定されるものではない。
・上記では移動阻止手段を交差した第１及び第２の脚４、５をベース板２と押し板３をリンクを組んで固定するようにしていたが、ベース板２に対して押し板３を移動不能に保持できるようであればこのような構成以外であってもよい。
・上記実施の形態では第１の脚４と第２の脚５の交差点の上側に回動阻止手段としてのチェーン１７を配置したが、交差点の下側であってもよい。また、チェーン１７の基点を第１の脚４の上側としたが、他の位置に基点を配置してもよい。
・上記実施の形態では回動阻止手段としてのチェーン１７を使用したが、チェーン１７以外の第１の脚４と第２の脚５の回動を阻止する、例えば棒状の部材をつっかい棒のよう  ・その他、本考案の趣旨を逸脱しない態様で実施することは自由である。
【符号の説明】
【００１８】
１…介護用動作支援装置、２…ベース部としてのベース板、３…移動体としての押し板、３ａ…当接面、４…移動阻止手段を構成する第１の脚、５…移動阻止手段を構成する第２の脚、１７…移動阻止手段を構成するチェーン、１８…移動阻止手段を構成するピン、２１…ベッド、２２…マットレス、２５…足元側フェンス部材としての足元側フェンス。
【図１】
0003204997.tif 000003
【図２】
0003204997.tif 000004
【図３】
0003204997.tif 000005
【図４】
0003204997.tif 000006
【図５】
0003204997.tif 000007
【図６】
0003204997.tif 000008
【図７】
0003204997.tif 000009
【図８】
0003204997.tif 000010